(57)【要約】【課題】家庭内電気機器ネットワーク制御情報端末機器において、家庭内のみならず家庭の外で家庭内の電気機器を制御することができるようにしたものである。【解決手段】親機と子機を有し、これら親機および子機はＰＨＳ無線回路１２および小電力無線機回路１１を内蔵し、親、子機間の通信はＰＨＳ無線回路１２あるは小電力無線回路１１で行い、外部ネットワークとの接続は親機で行うようにしたものであり、家庭内の電気製品および、電力メータ、ガスメータ、水道メータとの通信はＰＨＳ無線回路１２あるは小電力無線回路１１を用いたを無線通信で行うものである。【選択図】  図２
2004215153.tif 000002
【特許請求の範囲】
【請求項１】
家庭内の電気製品および電力メータ、ガスメータ、水道メータを無線で接続するものにおいて、親機と子機とを有し、これら親機および子機はＰＨＳ無線回路および小電力無線機回路を内蔵し、親、子機間の通信はＰＨＳ無線回路あるは小電力無線回路で行い、外部ネットワークとの接続は親機で行うことを特徴とする家庭内電気機器ネットワーク制御情報端末機器。
【請求項２】
低速データで制御する電気機器およびメータは小電力無線回路で制御し、高速データで制御する電気機器およびメータはＰＨＳ無線回路で制御することを特徴とする請求項１記載の家庭内電気機器ネットワーク制御情報端末機器。
【請求項３】
情報端末機器子機は家庭の外にも持ち出し可能で、情報端末機器親機が子機の送信電波の強度が小さくなることから子機が家庭の外に持ち出されたことを判断することを特徴とする請求項１またあは２記載の家庭内電気機器ネットワーク制御情報端末機器。
【請求項４】
情報端末機器親機からの電波の強度により情報端末機器子機が家庭の外に持ち出されたことを判断し、内蔵小電力無線回路を省電力モードに切り替えることを特徴とする請求項１または２記載の家庭内電気機器ネットワーク制御情報端末機器。
【請求項５】
情報端末機器親子機間の通信がＰＨＳ無線回路で行われる場合で、親機の小電力無線回路が通常省電力モードの場合で、子機が家庭の外に持ち出された場合、親機に内蔵された小電力無線回路が動作モードになることを特徴とする請求項３記載の家庭内電気機器ネットワーク制御情報端末機器。
【請求項６】
情報端末機器子機は、個人の認証データを有することで、コンビニエンスストア等の外部店舗に設置された機器と有線または無線で通信することにより料金支払いが可能であることを特徴とする請求項１または２記載の家庭内電気機器ネットワーク制御情報端末機器。
【請求項７】
情報端末機器子機が家庭の外に持ち出された場合、子機に内蔵されたＰＨＳ無線機器を公共ＰＨＳ基地局と接続し、親機のＰＨＳ無線機器を通して家庭内電気機器が制御可能であることを特徴とする請求項１または２記載の家庭内電気機器ネットワーク制御情報端末機器。
【請求項８】
情報端末機器親機は家庭内の電話機の機能を有し、外部ネットワークとは有線電話ネットワークで行うことを特徴とする請求項１〜７のいずれか１項記載の家庭内電気機器ネットワーク制御情報端末機器。
【請求項９】
情報端末機器子機は、電話機子機の機能を有することを特徴とする請求項８記載の家庭内電気機器ネットワーク制御情報端末機器。
【発明の詳細な説明】
【０００１】
【発明の属する技術分野】
本発明は家庭内の電気製品および、電力メータ、ガスメータ、水道メータを無線で接続する家庭内電気機器ネットワーク制御情報端末機器に関するものである。
【０００２】
【従来の技術】
従来、家庭内電気機器ネットワーク制御情報端末機器は、電灯線通信や小電力無線通信を用いてを家庭内電気機器をネットワークを形成し各電気機器等の制御をおこない、家庭の外で家庭内の電気機器を制御する場合は、情報端末とは別の公共で利用可能なＰＨＳや携帯電話機等の無線機を使用していた。
【０００３】
【発明が解決しようとする課題】
しかしながら従来、電灯線通信を用いて家庭内電気機器をネットワークを形成し各電気機器等の制御をおこなう家庭内電気機器ネットワーク制御情報端末機器では、家庭内で固定の位置でのみ使用可能であり、また、小電力無線通信を用いて家庭内電気機器をネットワークを形成し各電気機器等の制御をおこなう家庭内電気機器ネットワーク制御情報端末機器では、家庭内でのみ使用可能であり、家庭の外で家庭内の電気機器を制御する場合は、家庭内電気機器ネットワーク制御情報端末とは別の公共で利用可能なＰＨＳや携帯電話機等の無線機を使用する必要があるという課題があった。
【０００４】
本発明は上記課題を解決するもので、家庭内の白物家電および、電力メータ、ガスメータ、水道メータ等の低速データ通信で制御可能なものから、ＡＶ機器等の高速データ通信が必要な電気機器までをひとつの端末機器で制御可能であり、かつ家庭外へ情報端末機器を持ち出して家庭内電気機器を制御することが可能である家庭内電気機器ネットワーク制御情報端末機器を提供することを目的としたものである。
【０００５】
【課題を解決するための手段】
前記課題を解決するために、本発明の家庭内電気機器ネットワーク制御情報端末機器は、親機と子機とを有し、親機および子機はＰＨＳ無線回路および小電力無線機回路を内蔵し、親子機間の通信はＰＨＳ無線回路あるは小電力無線回路で行い、外部ネットワークとの接続は親機で行うことを特徴とし、家庭内の電気製品および、電力メータ、ガスメータ、水道メータとの通信はＰＨＳ無線回路あるは小電力無線回路を用いたを無線通信で行うものである。
【０００６】
これによって、家庭内の白物家電および、電力メータ、ガスメータ、水道メータ等の低速データ通信で制御可能なものは小電力無線機回路で通信し制御を行い、ＡＶ機器等の高速データ通信が必要な電気機器はＰＨＳ無線回路で制御を行うので子機一台で家庭内すべての電気機器および各種メータの制御が可能で、かつ、この機器は親機と子機を有しており、家庭外へ情報端末機器子機を持ち出しても、子機から家庭内電気機器制御信号を親機へ送信し、親機から家庭内電気機器に制御信号を送信することで家庭外に情報端末子機を持ち出しても家庭内電気機器および各種メータが制御可能となる。
【０００７】
【発明の実施の形態】
本発明は、家庭内の白物家電および、電力メータ、ガスメータ、水道メータ、ＡＶ機器等を小電力無線回路あるいは、ＰＨＳ無線回路で制御を行うので子機一台で家庭内すべての電気機器および各種メータの制御が可能で、かつ、家庭外へ情報端末機器子機を持ち出しても、子機から家庭内電気機器制御信号を親機へ送信し、親機から家庭内電気機器に制御信号を送信することで家庭外に情報端末子機を持ち出しても家庭内電気機器および各種メータが制御することができる様にしたものである。
【０００８】
また、家庭内の白物家電および、電力メータ、ガスメータ、水道メータ等の低速データ通信で制御可能なものは小電力無線機回路で通信し制御を行い、ＡＶ機器等の高速データ通信が必要な電気機器はＰＨＳ無線回路で制御を行うので子機一台で家庭内すべての電気機器および各種メータの制御行うことができる様にしたものである。
【０００９】
また、情報端末機器親機が子機の送信電波の強度が小さくなることから子機が家庭の外に持ち出されたことを自動的に判断する様にしたものである。
【００１０】
また、情報端末機器親機からの電波の強度により情報端末機器子機が家庭の外に持ち出されたことを判断し、子機内蔵の小電力無線回路を省電力モードに切り替える様にしたものである。
【００１１】
また、情報端末機器親子機間の通信がＰＨＳ無線回路で行われる場合で、親機の小電力無線回路が通常省電力モードの場合で、子機が家庭の外に持ち出された場合、親機に内蔵された小電力無線回路が動作モードになる様にしたものである。
【００１２】
また、情報端末機器子機は、個人の認証データを有することで、コンビニエンスストア等の外部店舗に設置された機器と有線または無線で通信することにより料金支払いが可能である様にしたものである。
【００１３】
また、情報端末機器子機が家庭の外に持ち出された場合、子機に内蔵されたＰＨＳ無線機器を公共ＰＨＳ基地局と接続し、親機のＰＨＳ無線機器を通して家庭内電気機器が制御可能である様にしたものである。
【００１４】
また、情報端末機器親機は家庭内の電話機の機能を有し、外部ネットワークとの接続は有線電話ネットワークを通してで行う様にしたものである。
【００１５】
さらに、情報端末機器子機は、電話機子機の機能を有する様にしたものである。
【００１６】
【実施例】
（実施例１）
図１を使用して家庭内電気機器ネットワークシステムについての概要を説明を行い、その後、家庭内電気機器ネットワーク制御情報端末機器の説明を行う。
【００１７】
図１において、１は家庭内電気機器ネットワーク制御情報端末機器子機、２は家庭内電気機器ネットワーク制御情報端末機器親機、３はエアコン、４は冷蔵庫、５は電子レンジ、６は電力メータ、７はガスメータ、８は水道メータ、９はテレビ、１０はビデオデッキ、１１は家屋である。
【００１８】
次に動作を説明すると、操作者は固定されていない家庭内電気機器ネットワーク制御情報端末機器子機１あるいは、家屋内で固定されている家庭内電気機器ネットワーク制御情報端末機器親機２を用い、エアコン３のオンオフ等の制御、冷蔵庫４の中身の検索、電子レンジ５の制御、テレビ９のオンオフ等の制御、ビデオデッキ１０のオンオフ、録画等の制御を行う。
【００１９】
また、電力メータ６、ガスメータ７、水道メータ８の検針値および各種情報は、家庭内電気機器ネットワーク制御情報端末機器子機１および家庭内電気機器ネットワーク制御情報端末機器親機２に蓄積される。
【００２０】
また、緊急信号等は家庭内電気機器ネットワーク制御情報端末機器子機１および家庭内電気機器ネットワーク制御情報端末機器親機２に伝送され、これらの機器を通して、外部ネットワークを通じて、電力会社、ガス会社、水道局等に伝送される。
【００２１】
なお、家庭内電気機器ネットワーク制御情報端末機器子機１および家庭内電気機器ネットワーク制御情報端末機器親機２は、４２９ＭＨｚ帯の特定小電力無線テレメータ・テレコントロール用の周波数帯および１．９ＧＨｚ帯のＰＨＳ無線用周波数対を使用している。
【００２２】
次に、図２を用い家庭内電気機器ネットワーク制御情報端末機器子機および親機について説明する。
【００２３】
家庭内電気機器ネットワーク制御情報端末機器子機１は、小電力無線回路１１、小電力無線用アンテナ１４、ＰＨＳ無線回路１２、ＰＨＳ無線用アンテナ１５、制御回路１３、データ入力部１６、データ表示部１７、外部ネットワーク接続端子１８から構成され、小電力無線回路１１から出力された電波は小電力無線用アンテナ１４を通して出力され、エアコン３、冷蔵庫４、電子レンジ５等の家庭内の電気機器との通信や、電力メータ６、ガスメータ７、水道メータ８との通信に使用される。
【００２４】
ＰＨＳ無線回路１２から出力された電波はＰＨＳ無線用アンテナ１５を通して出力され、家庭内電気機器ネットワーク制御情報端末機器子機１に場合は家庭内電気機器ネットワーク制御情報端末機器親機２との通信に、家庭内電気機器ネットワーク制御情報端末機器親機２に場合は家庭内電気機器ネットワーク制御情報端末機器子機１との通信に使用される。
【００２５】
また、家庭内電気機器ネットワーク制御情報端末機器親機２の場合は、小電力無線回路１１はスリープモードであり、家庭内電気機器ネットワーク制御情報端末機器子機１が、家庭外に持ち出された場合で、小電力無線回路１１の出力が家庭内に届かなくなった場合に、親機２の小電力無線回路１１は動作モードに切り替わる。
【００２６】
また、家庭外部のネットワークと通信は、家庭内電気機器ネットワーク制御情報端末機器子機１の場合、ＰＨＳ無線回路１２から出力された電波をＰＨＳ無線用アンテナ１５を通して出力して行い、家庭内電気機器ネットワーク制御情報端末機器親機２の場合、ＰＨＳ無線回路１２から出力された電波をＰＨＳ無線用アンテナ１５を通して出力して行う方法と、外部ネットワークの接続線を外部ネットワーク接続端子１８に接続して行う方法の２通りがある。
【００２７】
これらの構成により、家庭内電気機器ネットワーク制御情報端末機器子機１を家庭内のどこに持ち込んでも、家庭内の電気機器および、各種メータとの直接の通信が可能であり、家庭内電気機器ネットワーク制御情報端末機器子機１を家庭外に持ち出しても、家庭内電気機器ネットワーク制御情報端末機器親機２との通信を通してなお、家庭内の電気機器および、各種メータとの直接の通信が可能である。
【００２８】
（実施例２）
図３において、前記説明と同様の構成要素については同一番号を付しているので説明は省略する。図３において、１９は小電力無線回路ＰＨＳ無線回路切替え装置である。
【００２９】
次に構成及び作用について説明すると、データ入力部１６から入力されたデータにより、通信する電気機器がエアコン３、冷蔵庫４、電子レンジ５や、電力メータ６、ガスメータ７、水道メータ８の場合で、低速データの場合は、小電力無線回路ＰＨＳ無線回路切替え装置１９により、小電力無線回路１１を選択し通信を実施する。また、データ入力部１６から入力されたデータにより、通信する電気機器が、テレビ９や、ビデオデッキ１０の場合で、高速データの場合は、小電力無線回路ＰＨＳ無線回路切替え装置１９により、ＰＨＳ無線回路１２を選択し通信を実施する。
【００３０】
これにより、通信データが低速であるか高速であるかを自動的に選択することで、消費電力の小さい小電力無線回路１１とＰＨＳ無線回路とを使い分けることにより、省電力が可能になり、かつ電気機器や各種メータに搭載された無線回路を意識することなく操作が可能になる。
【００３１】
（実施例３）
図４において、前記実施例と同様の構成要素については同一の番号を付しているので説明を省略する。図４において、２０はＰＨＳ電波強度測定回路、２１は小電力無線電波強度測定回路である。
【００３２】
本実施例の家庭内電気機器ネットワーク制御情報端末機器親機２は、ＰＨＳ電波強度測定回路２０、小電力無線電波強度測定回路２１を持ち、家庭内電気機器ネットワーク制御情報端末機器子機１が、家庭外に持ち出された場合に家庭内電気機器ネットワーク制御情報端末機器子機１から出力されるＰＨＳ無線回路１２の電波あるいは小電力無線回路１１の電波の強度をそれぞれＰＨＳ電波強度測定回路２０、小電力無線電波強度測定回路２１で受信測定し、受信電波の強度が弱くなると、家庭内電気機器ネットワーク制御情報端末機器子機１が家庭外に持ちだされたと判断し、家庭内電気機器ネットワーク制御情報端末機器親機２が家庭内電気機器および各種メータの通信を実施することができる。
【００３３】
（実施例４）
図５において、前記実施例と同様の構成要素については同一の番号を付しているので説明を省略する。図５において、２２は小電力無線回路動作モード切り替え回路である。
【００３４】
本実施例の家庭内電気機器ネットワーク制御情報端末機器子機１は、ＰＨＳ電波強度測定回路２０、小電力無線電波強度測定回路２１を持ち、家庭内電気機器ネットワーク制御情報端末機器子機１が、家庭外に持ち出された場合に家庭内電気機器ネットワーク制御情報端末機器親機２から出力されるＰＨＳ無線回路１２の電波あるいは小電力無線回路１１の電波の強度をそれぞれＰＨＳ電波強度測定回路２０、小電力無線電波強度測定回路２１で受信測定し、受信電波の強度が弱くなると、小電力無線電波強度測定回路２１家庭内電気機器ネットワーク制御情報端末機器子機１が家庭外に持ちだされたと判断し、小電力無線回路動作モード切り替え回路２２により、小電力無線回路１１を自動的にスリープモードに変換することができ、電力消費を削減できる。
【００３５】
（実施例５）
図６において、前記実施例と同様の構成要素については同一の番号を付しているので説明を省略する。図６において、２３はＰＨＳ公衆基地局接続設定回路である。
【００３６】
次に構成及び作用について説明すると、本実施例の家庭内電気機器ネットワーク制御情報端末機器親機２は、ＰＨＳ公衆基地局接続設定回路２３を持ち、家庭内電気機器ネットワーク制御情報端末機器子機１が、家庭外に持ち出された場合に家庭内電気機器ネットワーク制御情報端末機器子機１から出力されるＰＨＳ無線回路１２の電波あるいは小電力無線回路１１の電波の強度をそれぞれＰＨＳ電波強度測定回路２０、小電力無線電波強度測定回路２１で受信測定し、受信電波の強度が弱くなると、家庭内電気機器ネットワーク制御情報端末機器子機１が家庭外に持ちだされたと判断し、小電力無線回路動作モード切り替え回路２２により、小電力無線回路１１を自動的にスリープモードから動作モードに変換することができ、電力消費を削減できる。
【００３７】
また、家庭内電気機器ネットワーク制御情報端末機器子機１が家庭外に持ちだされたと判断した場合、ＰＨＳ電波強度測定回路２０あるいは小電力無線電波強度測定回路２１からの制御信号が受信測定ＰＨＳ公衆基地局接続設定回路２３に送信され、ＰＨＳ無線通信を行う場合は自動的にＰＨＳ無線回路１２から公衆ＰＨＳ基地局にのみ接続のための無線信号が送信される。
【００３８】
（実施例６）
図７において、前記実施例と同様の構成要素については同一の番号を付しているので説明を省略する。図７において、２４は個人認証データ保存用記憶回路である。
【００３９】
本実施例の本実施例の家庭内電気機器ネットワーク制御情報端末機器子機１は、個人認証データ保存用記憶回路２４を持っており、家庭内電気機器ネットワーク制御情報端末機器子機１を家庭外に持ち出した場合、この子機１をコンビニエンスストア等の公共料金の支払い可能な場所に持っていき、コンビニエンスストア等に設置してある機器と有線あるいは無線通信を実施することで、電気料金、ガス料金、水道料金等の公共料金の支払いが可能になる  。
【００４０】
（実施例７）
図８において、前記実施例と同様の構成要素については同一の番号を付しているので説明を省略する。図８において、２５はネットワーク制御許可用識別データ保存用記憶回路である。
【００４１】
本実施例の本実施例の家庭内電気機器ネットワーク制御情報端末機器親機２は、ネットワーク制御許可用識別データ保存用記憶回路２５を持っており、家庭内電気機器ネットワーク制御情報端末機器子機１を家庭外に持ち出した場合、この子機１を公衆ＰＨＳ基地局を通して家庭内電気機器ネットワーク制御情報端末機器親機２に接続し、ネットワーク制御許可用識別データを送信し、この送信されたデータと、ネットワーク制御許可用識別データ保存用記憶回路２５に保存されているデータとが一致しているか確認された後、家庭内電気機器ネットワーク制御情報端末機器親機２を通して、家庭内の電気機器が制御可能にできる。
【００４２】
これより、家庭外に家庭内電気機器ネットワーク制御情報端末機器子機１を持ち出しても、家庭内にいるときと同じように、家庭内電気機器の制御および各種メータとの通信が可能になる。
【００４３】
（実施例８）
図９において、前記実施例と同様の構成要素については同一の番号を付しているので説明を省略する。図９において、２６は音声通信用電話機である。
【００４４】
本実施例の本実施例の家庭内電気機器ネットワーク制御情報端末機器親機２は、音声通信用電話機２６を有しているので、通常の音声通話も可能である。
【００４５】
これより、電話機としても使用可能であるので、これまでの電話機と家庭内電気機器ネットワーク制御情報端末機器親機２と兼ねることができ、省スペースおよび、省電力に貢献できる。
【００４６】
（実施例９）
図１０において、前記実施例と同様の構成要素については同一の番号を付しているので説明を省略する。図１０において、２７は音声通信用電話機子機である。
【００４７】
本実施例の本実施例の家庭内電気機器ネットワーク制御情報端末機器子機１は、音声通信用電話機子機２７を有しているので、通常の音声通話も可能である。
【００４８】
これより、電話機としても使用可能であるので、これまでの電話機と家庭内電気機器ネットワーク制御情報端末機器子機１と兼ねることができ、省スペースおよび、省電力に貢献できる。
【００４９】
また、家庭外に持ち出した場合にも、通常のＰＨＳ子機として使用可能であり、ＰＨＳ電話機と家庭内電気機器ネットワーク制御情報端末機器子機１の両方を持ち歩く必要が無い。
【００５０】
【発明の効果】
以上のように本発明は、家庭内の白物家電および電力メータ、ガスメータ、水道メータ等の低速データ通信で制御可能なものは小電力無線機回路で通信し制御を行い、ＡＶ機器等の高速データ通信が必要な電気機器はＰＨＳ無線回路で制御を行うので子機一台で家庭内すべての電気機器および各種メータの制御が可能で、かつ、この機器は親機と子機を有しており、家庭外へ情報端末機器子機を持ち出しても、子機から家庭内電気機器制御信号を親機へ送信し、親機から家庭内電気機器に制御信号を送信することで家庭外に情報端末子機を持ち出しても家庭内電気機器および各種メータが制御可能となる。
【図面の簡単な説明】
【図１】本発明の第１の実施例における家庭内電気機器ネットワークシステムのシステム構成図
【図２】本発明の第１の実施例における家庭内電気機器ネットワーク制御情報端末機器子機および親機の構成図
【図３】本発明の第２の実施例における家庭内電気機器ネットワーク制御情報端末機器子機および親機の構成図
【図４】本発明の第３の実施例における家庭内電気機器ネットワーク制御情報端末機器親機の構成図
【図５】本発明の第４の実施例における家庭内電気機器ネットワーク制御情報端末機器子機１の構成図
【図６】本発明の第５の実施例における家庭内電気機器ネットワーク制御情報端末機器親機２の構成図
【図７】本発明の第６の実施例における家庭内電気機器ネットワーク制御情報端末機器子機１の構成図
【図８】本発明の第７の実施例における家庭内電気機器ネットワーク制御情報端末機器親機２の構成図
【図９】本発明の第８の実施例における家庭内電気機器ネットワーク制御情報端末機器親機２の構成図
【図１０】本発明の第９の実施例における家庭内電気機器ネットワーク制御情報端末機器子機１の構成図
【符号の説明】
１  家庭内電気機器ネットワーク制御情報端末機器子機
２  家庭内電気機器ネットワーク制御情報端末機器親機
３  エアコン
４  冷蔵庫
５  電子レンジ
６  電力メータ
７  ガスメータ
８  水道メータ
９  テレビ
１０  ビデオデッキ
１０１  家屋
１１  小電力無線回路
１２  ＰＨＳ無線回路
１３  制御回路
１４  小電力無線用アンテナ
１５  ＰＨＳ無線用アンテナ
１６  データ入力部
１７  データ表示部
１８  外部ネットワーク接続端子
１９  小電力無線回路ＰＨＳ無線回路切替え装置
２０  ＰＨＳ電波強度測定回路
２１  小電力無線電波強度測定回路
２２  小電力無線回路動作モード切り替え回路
２３  ＰＨＳ公衆基地局接続設定回路
２４  個人認証データ保存用記憶回路
２５  ネットワーク制御許可用識別データ保存用記憶回路
２６  音声通信用電話機
２７  音声通信用電話機子機
【図１】
2004215153.tif 000003
【図２】
2004215153.tif 000004
【図３】
2004215153.tif 000005
【図４】
2004215153.tif 000006
【図５】
2004215153.tif 000007
【図６】
2004215153.tif 000008
【図７】
2004215153.tif 000009
【図８】
2004215153.tif 000010
【図９】
2004215153.tif 000011
【図１０】
2004215153.tif 000012